【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
分散ネットワークに接続されたクライアントモバイルデバイスのポピュレーションへパーシステントメッセージングサービスを提供するための方法であって、
計算プラットフォームによってパーシステントメッセージングサービスを実行する共有メモリスペースをホストすることと、
クライアントモバイルデバイスから無線通信ネットワークを介して前記パーシステントメッセージングサービスとのアクティブ通信を開始するユーザーのために、メッセージングゲートウェイによって前記共有メモリスペースにユーザーデータを配置することと、
前記メッセージングゲートウェイによって、以前のメッセージングセッションの前記ユーザーデータとマッチする前記共有メモリスペースに記憶されたメッセージオブジェクトを位置付けることと、
前記メッセージングゲートウェイによって前記共有メモリスペース内の仲間ユーザーデータの属性とマッチするようにコンタクトサービスオブジェクトを使用することにより前記ユーザーに関連付けられた仲間ユーザーを位置付けることと、
前記メッセージングゲートウェイによって前記仲間ユーザーのクライアントモバイルデバイスに前記仲間ユーザーがメッセージングにアクセス可能であること知らせることと、
前記メッセージングゲートウェイによって、前記メッセージオブジェクトから引き出された履歴メッセージを前記無線通信ネットワークを介して前記パーシステントメッセージングサービスを要求する前記ユーザーの前記クライアントモバイルデバイスに送信することと、
を備え、
前記履歴メッセージは、前記以前のメッセージングセッションの少なくとも一部を備える、
方法。
【請求項２】
前記仲間ユーザーに向けた新規メッセージを前記ユーザーから受信することと、
前記共有メモリスペース内の前記ユーザーデータの属性とマッチするコンタクトサービスオブジェクトで前記仲間ユーザーを識別することと、
前記新規メッセージを前記仲間ユーザーの前記クライアントモバイルデバイスに中継することと、
をさらに備える、請求項1の方法。
【請求項３】
前記新規メッセージを含む新規メッセージオブジェクトを前記共有メモリスペースに配置することをさらに備える、請求項2の方法。
【請求項４】
予め定義されたユーザーのグループに向けられた新規メッセージを前記ユーザーから受信することと、
前記共有メモリスペース内の複数のユーザーデータの属性とマッチするコンタクトサービスオブジェクトで、前記予め定義されたユーザーのグループのアクセス可能なメンバーの各々を識別することと、
前記新規メッセージを、前記アクセス可能なメンバーのそれぞれのクライアントモバイルデバイスに中継することと、
をさらに備える、請求項1の方法。
【請求項５】
前記新規メッセージを含む新規メッセージオブジェクトを前記共有メモリスペースに配置することをさらに備える、請求項4の方法。
【請求項６】
アクセス可能なユーザーの特定されていないサブセットへの配布を意図した、インタレスト属性を有する新規メッセージを前記ユーザーから受信することと；
前記共有メモリスペース内の複数のユーザーデータと前記インタレスト属性とをマッチするシャウトサービスオブジェクトで、アクセス可能なユーザーのサブセットを識別することと；
前記アクセス可能なユーザーのそれぞれのクライアントモバイルデバイスに、前記新規メッセージを中継することと；
をさらに備える、請求項1の方法。
【請求項７】
前記新規メッセージは広告を備える、請求項6の方法。
【請求項８】
メッセージングサービスを要求する前記クライアントモバイルデバイスに応答して、前記共有メモリスペースにインターフェースオブジェクトを位置付けることをさらに備える、請求項1の方法。
【請求項９】
前記ユーザーがもはや前記パーシステントメッセージングサービスにアクセス可能でないことの表示を前記ユーザーの前記クライアントモバイルデバイスから受信することと；
前記共有メモリスペース内の前記仲間データの属性にマッチするように前記コンタクトサービスオブジェクトを使用することによって前記ユーザーに関連付けられた前記仲間ユーザーを位置付けることと；
前記ユーザーがメッセージングにアクセス可能でないことを前記仲間ユーザーの前記クライアントモバイルデバイスに知らせることと；
をさらに備える、請求項1の方法。
【請求項１０】
分散ネットワークに接続されたクライアントモバイルデバイスのポピュレーションへパーシステントメッセージングサービスを提供するための少なくとも1つのプロセッサであって、
パーシステントメッセージングサービスを実行する共有メモリスペースをホストするための第１のハードウェアモジュールと、
クライアントモバイルデバイスから無線通信ネットワークを介して前記パーシステントメッセージングサービスとのアクティブ通信を開始するユーザーのために、前記共有メモリスペースにユーザーデータを配置するための第２のハードウェアモジュールと、
を備え、前記第第２のハードウェアモジュールは、さらに、
以前のメッセージングセッションの前記ユーザーデータとマッチする前記共有メモリスペースに記憶されたメッセージオブジェクトを位置付けるための第３のハードウェアモジュールと、
前記共有メモリスペース内の仲間ユーザーデータの属性とマッチするようにコンタクトサービスオブジェクトを使用することによって前記ユーザーに関連付けられた仲間ユーザーを位置付けるための第４のハードウェアモジュールと、
前記仲間ユーザーのクライアントデバイスに前記仲間ユーザーがメッセージングにアクセス可能であること知らせるための第５のハードウェアモジュールと、
前記メッセージオブジェクトから引き出された履歴メッセージを、前記無線通信ネットワークを介して、前記パーシステントメッセージングサービスを要求する前記ユーザーの前記クライアントモバイルデバイスに送信するための第６のハードウェアモジュールと、
を備え、
前記履歴メッセージは、前記以前のメッセージングセッションの少なくとも一部を備える、
少なくとも1つのプロセッサ。
【請求項１１】
分散ネットワークに接続されたクライアントモバイルデバイスのポピュレーションへパーシステントメッセージングサービスを提供するためのコンピュータプログラムを格納したコンピュータ読み取り可能媒体であって、前記コンピュータプログラムは、
コンピュータに、パーシステントメッセージングサービスを実行する共有メモリスペースをホストさせるための少なくとも１つの命令と、
前記コンピュータに、クライアントモバイルデバイスから無線通信ネットワークを介して前記パーシステントメッセージングサービスとのアクティブ通信を開始するユーザーのために、前記共有メモリスペースにユーザーデータを配置させるための少なくとも1つの命令と、
を備え、前記共有メモリスペースにユーザーデータを配置させるための少なくとも1つの命令は、さらに、
前記コンピュータに、以前のメッセージングセッションの前記ユーザーデータとマッチする前記共有メモリスペースに記憶されたメッセージオブジェクトを位置付けさせるための少なくとも1つの命令と、
前記コンピュータに、前記共有メモリスペース内の仲間ユーザーデータの属性とマッチするようにコンタクトサービスオブジェクトを使用することによって前記ユーザーに関連付けられた仲間ユーザーを位置付けさせるための少なくとも1つの命令と、
前記コンピュータに、前記仲間ユーザーのクライアントデバイスに前記仲間ユーザーがメッセージングにアクセス可能であること知らしめるための少なくとも1つの命令と、
前記コンピュータに、前記メッセージオブジェクトから引き出された履歴メッセージを、前記無線通信ネットワークを介して、前記パーシステントメッセージングサービスを要求する前記ユーザーの前記クライアントモバイルデバイスに送信させるための少なくとも1つの命令と、
を備え、
前記履歴メッセージは、前記以前のメッセージングセッションの少なくとも一部を備える、
コンピュータ読み取り可能記憶媒体。
【請求項１２】
分散ネットワークに接続されたクライアントモバイルデバイスのポピュレーションへパーシステントメッセージングサービスを提供するための装置であって、
パーシステントメッセージングサービスを実行する共有メモリスペースをホストするための手段と、
クライアントモバイルデバイスから無線通信ネットワークを介して前記パーシステントメッセージングサービスとのアクティブ通信を開始するユーザーのために、前記共有メモリスペースにユーザーデータを配置するための手段と、
を備え、前記共有メモリスペースにユーザーデータを配置するための手段は、さらに、
以前のメッセージングセッションの前記ユーザーデータとマッチする前記共有メモリスペースに記憶されたメッセージオブジェクトを位置付けるための手段と、
前記共有メモリスペース内の仲間ユーザーデータの属性とマッチするようにコンタクトサービスオブジェクトを使用することによって前記ユーザーに関連付けられた仲間ユーザーを位置付けるための手段と、
前記仲間ユーザーのクライアントデバイスに、前記仲間ユーザーがメッセージングにアクセス可能であること知らせるための手段と、
前記メッセージオブジェクトから引き出された履歴メッセージを、前記無線通信ネットワークを介して、前記パーシステントメッセージングサービスを要求する前記ユーザーの前記クライアントモバイルデバイスに送信するための手段と、
を備え、
前記履歴メッセージは、前記以前のメッセージングセッションの少なくとも一部を備える、
装置。
【請求項１３】
分散ネットワークに接続されたクライアントモバイルデバイスのポピュレーションへパーシステントメッセージングサービスを提供するための装置であって、
パーシステントメッセージングサービスを実行する共有メモリスペースを提供する計算プラットフォームと、
無線通信ネットワークと、
前記無線通信ネットワークを介してクライアントモバイルデバイスからパーシステントメッセージングサービスとのアクティブ通信を開始するユーザーのためにユーザーデータを前記共有メモリスペースに配置するメッセージングゲートウェイと、
を備え、
前記メッセージングゲートウェイは、さらに、
以前のメッセージングセッションの前記ユーザーデータとマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けし、前記仲間ユーザーのクライアントモバイルデバイスに前記仲間ユーザーがメッセージングにアクセス可能であること知らせ、前記メッセージオブジェクトから引き出された履歴メッセージを、前記無線通信ネットワークを介して、前記パーシステントメッセージングサービスを要求する前記ユーザーの前記クライアントモバイルデバイスに送信し、
前記履歴メッセージは、前記以前のメッセージングセッションの少なくとも一部を備える、
装置。
【請求項１４】
前記無線通信ネットワークを介して、前記仲間ユーザーに向けられた新規メッセージを前記ユーザーから受信し、前記共有メモリスペース内の前記ユーザーデータの属性にマッチするコンタクトサービスオブジェクトで前記仲間ユーザーを識別し、および、前記無線通信ネットワークを介して、前記仲間ユーザーの前記クライアントモバイルデバイスに前記新規メッセージを中継する前記メッセージングゲートウェイをさらに備える、請求項13の装置。
【請求項１５】
前記新規メッセージを含む新規メッセージオブジェクトを前記共有メモリスペースに配置する前記メッセージングゲートウェイをさらに備える、請求項14の装置。
【請求項１６】
前記無線通信ネットワークを介して、予め定義されたユーザーのグループに向けられた新規メッセージを前記ユーザーから受信し、前記共有メモリスペース内の複数のユーザーデータの属性にマッチするコンタクトサービスオブジェクトで前記予め定義されたユーザーグループのアクセス可能なメンバーの各々を識別し、および、前記無線通信ネットワークを介して、前記アクセス可能なメンバーのそれぞれのクライアントモバイルデバイスに前記新規メッセージを中継する前記メッセージングゲートウェイをさらに備える、請求項13の装置。
【請求項１７】
前記新規メッセージを含む新規メッセージオブジェクトを前記共有メモリスペースに配置する前記メッセージングゲートウェイをさらに備える、請求項16の装置。
【請求項１８】
前記無線通信ネットワークを介して、特定されないアクセス可能なユーザーサブセットへの配布を意図した、インタレスト属性を有する新規メッセージを前記ユーザーから受信し、前記インタレスト属性と前記共有メモリスペース内の複数のユーザーデータとがマッチするシャウトサービスオブジェクトで前記アクセス可能なユーザーサブセットを識別し、前記アクセス可能なユーザーのそれぞれのクライアントモバイルデバイスに前記新規メッセージを中継する前記メッセージングゲートウェイをさらに備える、請求項13の装置。
【請求項１９】
前記新規メッセージは広告を備える、請求項18の装置。
【請求項２０】
前記無線通信ネットワークを介して、メッセージングサービスを要求する前記クライアントモバイルデバイスに応答してインターフェースオブジェクトを前記共有メモリスペースに位置付ける前記メッセージングゲートウェイをさらに備える、請求項13の装置。
【請求項２１】
前記無線通信ネットワークを介して、前記ユーザーがもはや前記パーシステントメッセージングサービスにアクセス可能でないことの表示を前記ユーザーの前記クライアントモバイルデバイスから受信し、前記共有メモリスペース内の前記仲間データの属性にマッチするように前記コンタクトサービスオブジェクトを使用することによって前記ユーザーに関連付けられた前記仲間ユーザーを位置付け、前記無線通信ネットワークを介して前記仲間ユーザーの前記クライアントモバイルデバイスに前記ユーザーがメッセージングにアクセスできないことを知らせる前記メッセージングゲートウェイをさらに備える、請求項13の装置。
【請求項２２】
分散ネットワークからパーシステントメッセージングサービスを受信するための方法であって、
クライアントモバイルデバイスとメッセージングゲートウェイとの間で無線通信ネットワークを介してパーシステントメッセージングサービスとのアクティブ通信を開始することと、ここで、前記メッセージングゲートウェイは、ユーザーデータをユーザーのための共有メモリスペースに配置させ、以前のメッセージングセッションの前記ユーザーデータにマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けし、前記仲間ユーザーのクライアントモバイルデバイスに前記仲間ユーザーがメッセージングにアクセス可能であること知らせるように動作可能である、
前記メッセージオブジェクトから前記パーシステントメッセージングサービスを要求する前記ユーザーの前記クライアントモバイルデバイスに引き出された履歴メッセージを、前記無線通信ネットワークを介して前記メッセージングゲートウェイから受信することと、
を備え、
前記履歴メッセージは、前記以前のメッセージングセッションの少なくとも一部を備える、
方法。
【請求項２３】
前記仲間ユーザーに向けられた新規メッセージを送信することをさらに備え、前記共有メモリスペース内の前記ユーザーデータの属性にマッチするコンタクトサービスオブジェクトで前記仲間ユーザーを識別させ、前記新規メッセージを前記仲間ユーザーのクライアントモバイルデバイスに中継させる、請求項22の方法。
【請求項２４】
前記共有メモリスペース内の前記新規メッセージを含む新規メッセージデータを配置させるために、前記仲間ユーザーに向けられた前記新規メッセージを送信することをさらに備える、請求項23の方法。
【請求項２５】
予め定義されたユーザーのグループに向けられた新規メッセージを送信することをさらに備え、前記共有メモリスペース内の複数のユーザーデータの属性とマッチするコンタクトサービスオブジェクトで前記予め定義されたユーザーのグループのアクセス可能なメンバーの各々を識別させ、前記メッセージを前記アクセス可能なメンバーのそれぞれのクライアントモバイルデバイスに中継させる、請求項22の方法。
【請求項２６】
前記新規メッセージを含む新規メッセージオブジェクトを前記共有メモリスペースに配置させるために、前記予め定義されたユーザーのグループに向けられた前記新規メッセージを送信することをさらに備える、請求項25の方法。
【請求項２７】
特定されないアクセス可能なユーザーのサブセットへの配布のために前記インタレスト属性を有する新規メッセージを送信することをさらに備え、前記共有メモリスペース内の複数のユーザーデータとインタレスト属性とをマッチするシャウトサービスオブジェクトでアクセス可能なユーザーのサブセットを識別させ、前記アクセス可能なユーザーのそれぞれのクライアントモバイルデバイスに前記新規メッセージを中継させる、請求項22の方法。
【請求項２８】
前記新規メッセージは広告を備える、請求項27の方法。
【請求項２９】
インターフェースオブジェクトを前記共有メモリスペースに位置付けるために、メッセージングサービスを要求することをさらに備える、請求項22の方法。
【請求項３０】
前記共有メモリスペース内の前記仲間データの属性にマッチするように前記コンタクトサービスオブジェクトを使用することによって前記ユーザーに関連付けられた前記仲間ユーザーを位置付け、前記仲間ユーザーの前記クライアントモバイルデバイスに前記ユーザーがメッセージングにアクセスできないことを通知するために、前記ユーザーがもはや前記パーシステントメッセージングサービスにアクセス可能でないことの表示を送信することをさらに備える、請求項22の方法。
【請求項３１】
パーシステントメッセージングサービスを分散ネットワークから受信するための少なくとも1つのプロセッサであって、
クライアントモバイルデバイスとメッセージングゲートウェイとの間で無線通信ネットワークを介してパーシステントメッセージングサービスとのアクティブ通信を開始するための第1のハードウェアモジュールと、ここで、前記メッセージングゲートウェイは、ユーザーデータをユーザーのための共有メモリスペースに配置し、以前のメッセージングセッションの前記ユーザーデータにマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けし、前記仲間ユーザーのクライアントモバイルデバイスに前記仲間ユーザーがメッセージングにアクセス可能であること知らせるように動作可能である、
前記メッセージオブジェクトから前記パーシステントメッセージングサービスを要求する前記ユーザーのクライアント前記モバイルデバイスに引き出された履歴メッセージを、前記無線通信ネットワークを介して前記メッセージングゲートウェイから受信するための第2のハードウェアモジュールと、
を備え、
前記履歴メッセージは、前記以前のメッセージングセッションの少なくとも一部を備える、
少なくとも1つのプロセッサ。
【請求項３２】
分散ネットワークからパーシステントメッセージングサービスを受信するためのコンピュータプログラムを格納したコンピュータ読み取り可能媒体であって、前記コンピュータプログラムは、
コンピュータに、クライアントモバイルデバイスとメッセージングゲートウェイとの間で無線通信ネットワークを介してパーシステントメッセージングサービスとのアクティブ通信を開始させる少なくとも1つの命令と、ここで、前記メッセージングゲートウェイは、ユーザーデータをユーザーのための共有メモリスペースに配置し、以前のメッセージングセッションの前記ユーザーデータとマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けし、前記仲間ユーザーのクライアントモバイルデバイスに前記仲間ユーザーがメッセージングにアクセス可能であること知らせるように動作可能である、
前記コンピュータに、前記メッセージオブジェクトから前記パーシステントメッセージングサービスを要求する前記ユーザーの前記クライアントモバイルデバイスに引き出された履歴メッセージを、前記無線通信ネットワークを介して前記メッセージングゲートウェイから受信させる少なくとも1つの命令と、
を備え、
前記履歴メッセージは、前記以前のメッセージングセッションの少なくとも一部を備える、
コンピュータ読み取り可能記憶媒体。
【請求項３３】
パーシステントメッセージングサービスを分散ネットワークから受信するための装置であって、
クライアントデバイスとメッセージングゲートウェイとの間で無線通信ネットワークを介してパーシステントメッセージングサービスとのアクティブ通信を開始するための手段と、ここで、前記メッセージングゲートウェイは、ユーザーデータをユーザーのための共有メモリスペースに配置し、以前のメッセージングセッションの前記ユーザーデータとマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けし、前記仲間ユーザーのクライアントデバイスに前記仲間ユーザーがメッセージングにアクセス可能であること知らせるように動作可能である、
前記メッセージオブジェクトから前記パーシステントメッセージングサービスを要求する前記ユーザーの前記クライアントモバイルデバイスに引き出された履歴メッセージを、前記無線通信ネットワークを介して前記メッセージングゲートウェイから受信するための手段と、
を備え、
前記履歴メッセージは、前記以前のメッセージングセッションの少なくとも一部を備える、
装置。
【請求項３４】
パーシステントメッセージングサービスを分散ネットワークから受信するための装置であって：
送信機および受信機と；
パーシステントメッセージングサービスを実行する共有メモリスペースと動作的にインタラクトするゲートウェイに無線通信ネットワークを通して通信するための前記送信機および前記受信機を制御するための通信モジュールと、
前記通信モジュールを介して、前記パーシステントメッセージングサービスを要求するユーザーのクライアントモバイルデバイスとゲートウェイとの間でパーシステントメッセージングサービスとのアクティブ通信を開始するためのユーザーインターフェースと、ここで、前記ゲートウェイは、ユーザーデータをユーザーのための前記共有メモリスペースに配置し、以前のメッセージングセッションの前記ユーザーデータとマッチする前記共有メモリスペースに記憶されたメッセージオブジェクトを位置付けし、前記共有メモリスペース内の仲間ユーザーデータの属性とマッチするようにコンタクトサービスオブジェクトを使用することによって前記ユーザーに関連付けられた仲間ユーザーを位置付けさせ、前記仲間ユーザーのクライアントモバイルデバイスに前記仲間ユーザーがメッセージングにアクセス可能であること知らしめるように動作する、
を備え、
前記ユーザーインターフェースは、前記受信機および通信モジュールを介して、前記メッセージオブジェクトから前記クライアントモバイルデバイスに引き出された履歴メッセージを前記ゲートウェイから受信し、
前記履歴メッセージは、前記以前のメッセージングセッションの少なくとも一部を備える、
装置。
【請求項３５】
前記仲間ユーザーに向けられた新規メッセージを、前記通信モジュールを介して送信する前記ユーザーインターフェースをさらに備え、前記共有メモリスペース内の前記ユーザーデータの属性にマッチする前記コンタクトサービスオブジェクトで前記仲間ユーザーを識別させ、前記メッセージを前記仲間ユーザーの前記クライアントモバイルデバイスに中継させる、請求項34の装置。
【請求項３６】
前記新規メッセージを含む新規メッセージオブジェクトを前記共有メモリスペースにさらに配置させるために、前記仲間ユーザーに向けられた前記新規メッセージを送信する前記ユーザーインターフェースをさらに備える、請求項35の装置。
【請求項３７】
予め定義されたユーザーグループに向けられた新規メッセージを、前記通信モジュールを介して送信する前記ユーザーインターフェースをさらに備え、前記共有メモリスペース内の複数のユーザーデータの属性にマッチするコンタクトサービスオブジェクトで前記予め定義されたユーザーグループのアクセス可能なユーザーの各々を識別させ、前記新規メッセージを前記アクセス可能なユーザーのそれぞれのクライアントモバイルデバイスに中継させる、請求項34の装置。
【請求項３８】
前記新規メッセージを含む新規メッセージオブジェクトを前記共有メモリスペースにさらに配置させるために、前記予め定義されたユーザーグループに向けられた前記新規メッセージを送信する前記ユーザーインターフェースをさらに備える、請求項37の装置。
【請求項３９】
特定されないアクセス可能なユーザーのサブセットへの配布のためのインタレスト属性を有する新規メッセージを、通信モジュールを介して送信する前記ユーザーインターフェースをさらに備え、前記共有メモリスペース内の複数のユーザーデータと前記インタレスト属性とをマッチするシャウトサービスオブジェクトで前記アクセス可能なユーザーのサブセットを識別させ、前記メッセージを前記アクセス可能なユーザーのクライアントモバイルデバイスのそれぞれに中継させる、請求項34の装置。
【請求項４０】
前記新規メッセージは広告を備える、請求項39の装置。
【請求項４１】
前記共有メモリスペースにインターフェースオブジェクトを位置付けさせるために、前記通信モジュールを介して前記パーシステントメッセージングサービスを要求する前記ユーザーインターフェースをさらに備える、請求項34の装置。
【請求項４２】
前記ユーザーがもはや前記パーシステントメッセージングサービスにアクセス可能でないことの表示を前記通信モジュールを介して送信する前記ユーザーインターフェースをさらに備え、前記共有メモリスペース内の前記仲間ユーザーデータの属性にマッチするように前記コンタクトサービスオブジェクトを使用して前記ユーザーと関連付けられた前記仲間ユーザーを位置付けさせ、前記ユーザーがメッセージングにアクセス可能でないことを前記仲間ユーザーのクライアントモバイルデバイスに通知させる、請求項34の装置。
【請求項４３】
前記共有メモリスペースは相関データベースである、請求項１の方法。
【請求項４４】
前記ユーザーデータは前記相関データベースにおける行である、請求項43の方法。
【請求項４５】
前記共有メモリスペースは、グローバルに共有された、結合的にアドレスされるメモリスペースである、請求項1の方法。